(57)【特許請求の範囲】
【請求項１】
所定のファクシミリ伝送手順に従って画像情報をやりとりするファクシミリ装置において、
原稿画像を高線密度で読み取る画像読取手段と、
上記画像読取手段が読み取って得た画像情報の最適線密度を、上記高線密度か、または、標準線密度のいずれかに判定する解像度判定手段を備え、
上記標準線密度に判定された画像情報が、ファクシミリモデム速度に対応した所定ページ数以上連続する場合には、当該複数ページの画像情報を上記高線密度から上記標準線密度へ線密度変換し、その線密度変換した画像情報を送信する一方、上記標準線密度に判定された画像情報が、ファクシミリモデム速度に対応した所定ページ数以上連続しない場合には、そのままの解像度で画像情報を送信することを特徴とするファクシミリ装置。
【発明の詳細な説明】
【０００１】
【発明の属する技術分野】
本発明は、所定のファクシミリ伝送手順に従って画像情報をやりとりするファクシミリ装置に関する。
【０００２】
【従来の技術】
一般に、グループ３ファクシミリ装置では、原稿画像を送信する際に画像を読み取る線密度（読取解像度）をユーザが任意に選択できるようになっている。画像を読み取る線密度は、高く設定するほど、小さい文字でも読みやすい高画質の画像を送信することができる反面、画情報のデータ量が増大して、通信時間が長くかかってしまう。その反対に、読取線密度を低く設定すれば、画質が低下して、小さい文字が読みにくくなるが、通信時間が短くて済むようになる。
【０００３】
このため、通常は、送信原稿が大きな文字の文書であれば読取線密度を低く設定し、小さい文字の文書であれば読取線密度を高く設定するというように、ユーザが画像内容に応じた適正な読取線密度を手操作で設定するようにしている。
【０００４】
しかしながら、このように送信原稿の画像の内容に応じてユーザが任意に読取線密度を決定するのは、ユーザの操作が煩雑になるとともに、送信原稿に適切な読取線密度を、ユーザが常に選択できるとは限らないので、良好な画情報送信ができないという不具合を生じるおそれがある。
【０００５】
そこで、特開平９−２７０９０９号「画像通信装置」のように、原稿画像を高線密度で読み取るとともに、原稿画像の最適線密度をページ毎に判断し、低線密度が最適線密度と判断されたページについて、そのページの画情報を低線密度に変換後に送信した際に削減される通信時間が所定時間よりも短い場合には、当該ページを低線密度へ変換せずに高線密度のまま送信する一方、上記削減通信時間が所定時間よりも大きい場合には、当該ページを低線密度へ変換した後に送信することで、適切な画像通信ができるようにしたものが提案されている。
【０００６】
【発明が解決しようとする課題】
ところで、この特開平９−２７０９０９号に開示された従来装置では、グループ３ファクシミリ伝送前手順においてモデム速度が決定されてから、通信開始までのごく短い時間で、上記削減通信時間を算出して線密度変換の有無を判断する必要があり、通信制御が複雑になるという不都合を生じる。
【０００７】
本発明は、かかる実情に鑑みてなされたものであり、通信制御を簡単にすることができ、かつ、送信画像に応じた適切な送信動作を可能とするファクシミリ装置を提供することを目的としている。
【０００８】
【課題を解決するための手段】
本発明は、所定のファクシミリ伝送手順に従って画像情報をやりとりするファクシミリ装置において、原稿画像を高線密度で読み取る画像読取手段と、上記画像読取手段が読み取って得た画像情報の最適線密度を、上記高線密度か、または、標準線密度のいずれかに判定する解像度判定手段を備え、上記標準線密度に判定された画像情報が、ファクシミリモデム速度に対応した所定ページ数以上連続する場合には、当該複数ページの画像情報を上記高線密度から上記標準線密度へ線密度変換し、その線密度変換した画像情報を送信する一方、上記標準線密度に判定された画像情報が、ファクシミリモデム速度に対応した所定ページ数以上連続しない場合には、そのままの解像度で画像情報を送信するようにしたものである。
【００１２】
【発明の実施の形態】
以下、添付図面を参照しながら、本発明の実施の形態を詳細に説明する。
【００１３】
図１は、本発明の一実施例にかかるグループ３ファクシミリ装置を示している。
【００１４】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１５】
スキャナ５は、主走査方向が８（ドット／ｍｍ）で副走査方向が３．８５（ライン／ｍｍ）の標準線密度ＳＴＤ（標準解像度）、または、主走査方向が８（ドット／ｍｍ）で副走査方向が７．７（ライン／ｍｍ）の高線密度ＤＴＬ（高解像度）のいずれかの解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００１６】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１７】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１８】
網制御装置１１は、このグループ３ファクシミリ装置をアナログ公衆網ＰＳＴＮに接続するためのものであり、自動発着信機能を備えている。
【００１９】
また、画像処理部１２は、画像の最適線密度（最適解像度）の判定処理、あるいは、周知の線密度変換処理や変倍処理等の種々の画像処理を行うためのものである。なお、線密度変換処理方法としては、単純に１ラインおきの画像データを間引く単純間引き方法、画素位置毎に２ラインのオア処理により画像データを生成する単純オア方法、単純オア処理では画像劣化することを抑制するために条件付でオア処理する条件付オア処理方法などの各種の周知方法があるので、ここでは詳細な説明を省略する。
【００２０】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、画像処理部１２は、内部バス１３に接続されており、これらの各要素間でのデータのやりとりは、主としてこの内部バス１３を介して行われている。
【００２１】
また、網制御装置１１とグループ３ファクシミリモデム１０との間のデータのやりとりは、直接行なわれている。
【００２２】
ここで、画像処理部１２が行う画像の最適線密度の判定処理は、例えば、特開平９−２７９０９号に開示されている方法を適用することができる。すなわち、高線密度ＤＴＬで読み取られて得られた画像データのランレングスが１〜４画素の黒ラン（以下、黒ラン１〜４と記す）の出現回数を計数し、黒ラン１，２の出現回数と、黒ラン３，４の出現回数とを次式（Ｉ）の条件式を適用して比較することで、画像の最適線密度を判定する。
【００２３】
Ｒ（１）＋Ｒ（２）≧Ｒ（３）＋Ｒ（４）ならばＤＴＬ                Ｒ（１）＋Ｒ（２）＜Ｒ（３）＋Ｒ（４）ならばＳＴＤ          （Ｉ）
【００２４】
ここで、Ｒ（ｉ）は、黒ランｉの出現回数である。
【００２５】
さて、グループ３ファクシミリ伝送手順においては、送信端末は、画像送信に先立ち、いわゆるフェーズＢにおいて、送信画情報の線密度（解像度）、用紙サイズ、および、符号化方式等を、自端末側で作成した条件および相手端末の機能に適合した態様に設定し、その後に、画情報を送信する。そして、このフェーズＢには、６秒の時間を要する。また、送信画情報の線密度、用紙サイズ、および、符号化方式等を変更する際には、変更後の画情報を送信する前の段階で、再度フェーズＢを実行する必要がある。かかるフェーズＢの実行は、グループ３ファクシミリ伝送手順において規定されているものであり、必須な要件である。
【００２６】
一方、送信原稿画像を送信する際、各ページの送信画像の内容に対応した最適線密度で送信すると画情報を最も効率よく送信できるが、グループ３ファクシミリ伝送手順では、上述したように、送信画像の線密度を変更するたびにフェーズＢを実行する必要があるため、例えば、ページ毎に送信画像の線密度を変更すると、そのたびにフェーズＢが実行され、６秒の時間を遅れを伴うので、結果的に通信時間が長くなると言う事態を生じる。
【００２７】
そこで、本実施例では、送信画像の基本的な線密度を高線密度ＤＴＬに規定するとともに、最適解像度が標準線密度ＳＴＤと判定された送信ページが所定数Ｎ以上連続する場合に限り、標準線密度ＳＴＤに変換して画情報を送信するようにする。
【００２８】
また、この所定数Ｎは、標準線密度ＳＴＤで送信した際に短縮できる時間が、フェーズＢに要する時間６秒よりも大きくなるように決定する。
【００２９】
このようにすることで、送信画像が高画質で、かつ、より高速な画像通信が可能な、効率の良い画像通信を実現することができる。
【００３０】
ここで、画情報の送信時間を決定する要素は、画情報のデータ量（バイト数）と、モデム速度であり、また、画情報のデータ量は、原稿の画像データと、画像データを画情報に変換する際に適用される符号化方式により決定される。
【００３１】
そこで、本発明者は、（旧）ＣＣＩＴＴ  Ｎｏ．１チャートを原稿として用い、この原稿を標準線密度ＳＴＤで読み取って得た画像データをＨＭ，ＭＲ，ＭＭＲ，ＪＢＩＧの各符号化方式で符号化した際の符号量（データ量）と、高線密度ＤＴＬで読み取って得た画像データをＨＭ，ＭＲ，ＭＭＲ，ＪＢＩＧの各符号化方式で符号化した際の符号量をそれぞれ計測するとともに、高線密度ＤＴＬと標準線密度ＳＴＤとの符号量の差をそれぞれ算出し、図２に示したような表を得た。
【００３２】
なお、図２の表の１列目は標準線密度ＳＴＤの場合の符号量（バイト数）をあらわし、２列目は高線密度ＤＴＬの場合の符号量（バイト数）をあらわし、３列目は高線密度ＤＴＬと標準線密度ＳＴＤとの符号量の差をあらわす。
【００３３】
また、グループ３ファクシミリモデム１０の通信速度（モデム速度）は、代表的な値としては、例えば、３３６００ｂｐｓ、１９２００ｂｐｓ、９６００ｂｐｓがあり、それぞれのモデム速度に対して、上述した所定数Ｎは、図３に示したような表のようになる。
【００３４】
ここで、所定数Ｎは、符号量の差を通信速度で割り算して得られる削減時間の値が６秒よりも大きくなる値であり、次の式（ＩＩ）により算出できる。
【００３５】
（１ページ分の符号量の差）ｘＮ／通信速度  ≧  ６        （ＩＩ）
【００３６】
図４〜図７は、このグループ３ファクシミリ装置の送信時の処理の一例を示している。
【００３７】
ユーザが送信原稿をスキャナ５にセットし（処理１００）、操作表示部７を適宜に操作して宛先を入力し（処理１０１）、操作表示部７のスタートキー（図示略）を操作して送信開始を指令すると（判断１０２のＹＥＳ）、システム制御部１は、スキャナ５の読取モードを高線密度ＤＴＬにセットして、スキャナ５にセットされている送信原稿を全ページについて高線密度ＤＴＬで読み取り、画像蓄積装置９に保存する（処理１０３）。
【００３８】
次いで、それぞれのページについて、上述した式（Ｉ）を適用した条件判断を行い、それぞれのページの最適線密度を判定し（処理１０４）、それぞれのページについて、所定の蓄積時の符号化方式で符号化圧縮し、それによって得た画情報を画像蓄積装置９に蓄積する（処理１０５）。なお、この段階で、それぞれのページについて処理１０３で保存した画像データは、削除することができる。
【００３９】
次に、グループ３ファクシミリモデム１０の最大通信速度に対応して、図３の表を参照し、所定数Ｎを取得し（処理１０６）、指定された宛先へ発呼する（処理１０７）。なお、処理１０６においては、この段階では、送信画情報の符号化方式が決定されていないが、標準的な符号化方式であるＭＨを指定するか、あるいは、指定された宛先について、過去に通信した際に適用した通信速度や符号化方式の情報が送信履歴情報として残っている場合には、その送信履歴情報を参照して、符号化方式を決定することができる。
【００４０】
そして、送信ページ番号を管理するためのページカウンタＰＣの値を１に初期設定する（処理１０８）。ここで、処理１０４で判定した全ページの最適線密度を参照し、１ページ目の画情報が、標準線密度ＳＴＤが所定数Ｎ以上連続するページ領域に含まれるかどうかを調べる（判断１０９）。
【００４１】
判断１０９の結果がＹＥＳになるときには、最初に行うフェーズＢにおいて、送信画情報の線密度を標準線密度ＳＴＤに設定する所定の伝送前手順を行う（処理１１０）。
【００４２】
次いで、ＰＣページ目の蓄積画情報を読み込み、符号化復号化部８により、元の画像データへ復号化し、その元の画像データを、画像処理部１２により、所定の線密度変換処理を適用して、高線密度ＤＴＬから標準線密度ＳＴＤに線密度変換し（処理１１２）、符号化復号化部８により、処理１１０で決定した符号化方式でその標準線密度ＳＴＤの画像データを符号化し、それによって得た画情報を宛先へ送信する（処理１１３）。
【００４３】
１ページ分の画情報の送信を終了すると、全てのページの送信が終了したかどうかを調べ（判断１１４）、判断１１４の結果がＮＯになるときには、ページカウンタＰＣの値を１つ増やし（処理１１５）、処理１０４で判定した全ページの最適線密度を参照し、ＰＣページ目の画情報が、標準線密度ＳＴＤが所定数Ｎ以上連続するページ領域に含まれるかどうかを調べる（判断１１６）。
【００４４】
判断１１６の結果がＹＥＳになるときには、メッセージ後信号として信号ＭＰＳを宛先へ送信し（処理１１７）、宛先より応答信号を受信し（処理１１８）、処理１１２に戻り、次のページの送信動作を行う。
【００４５】
また、判断１１４の結果がＮＯになるときには、メッセージ後信号として信号ＥＯＰを宛先へ送信し（処理１１９）、宛先より応答信号を受信すると（処理１２０）、信号ＤＣＮを宛先へ送出して（処理１２１）、回線を復旧し（処理１２２）、一連の送信動作を終了する。
【００４６】
一方、ＰＣページ目の画情報が、標準線密度ＳＴＤが所定数Ｎ以上連続するページ領域に含まれない場合で、判断１１６の結果がＮＯになるときには、送信画情報の線密度を高線密度ＤＴＬへ変更するためにフェーズＢに移行する。
【００４７】
すなわち、この場合には、メッセージ後信号として信号ＥＯＭを宛先へ送信し（処理１２３）、宛先より応答信号を受信すると（処理１２４）、送信画情報の線密度を高線密度ＤＴＬに設定する所定のフェーズＢの伝送前手順を行う（処理１２５）。
【００４８】
次いで、ＰＣページ目の画情報を宛先へ送信する（処理１２６）。この画情報送信時、線密度変換は行わないが、蓄積時の符号化方式と処理１２５で決定した送信時の符号化方式が相違する場合には、蓄積画情報を読み込み、符号化復号化部８により元の画像データへ復号化し、その元の画像データを、符号化復号化部８により処理１２５で決定した符号化方式で符号化し、それによって得た画情報を宛先へ送信する。
【００４９】
この１ページ分の画情報送信を終了すると、全てのページの送信が終了したかどうかを調べ（判断１２７）、判断１２７の結果がＹＥＳになるときには、処理１１９へ移行し、それ以降の処理を実行して、一連の画情報送信動作を終了する。
【００５０】
また、後続の送信ページがある場合で、判断１２７の結果がＮＯになるときには、ページカウンタＰＣの値を１つ増やし（処理１２８）、処理１０４で判定した全ページの最適線密度を参照し、ＰＣページ目の画情報が、標準線密度ＳＴＤが所定数Ｎ以上連続するページ領域に含まれるかどうかを調べる（判断１２９）。
【００５１】
判断１２９の結果がＮＯになるときには、メッセージ後信号として信号ＭＰＳを宛先へ送信し（処理１３０）、宛先より応答信号を受信し（処理１３１）、処理１２６と同様にしてＰＣページ目の画情報を宛先へ送信し（処理１３２）、判断１２７へ戻る。
【００５２】
また、ＰＣページ目の画情報が、標準線密度ＳＴＤが所定数Ｎ以上連続するページ領域に含まれる場合で、判断１２９の結果がＹＥＳになるときには、送信画情報の線密度を標準線密度ＳＴＤへ変更するためにフェーズＢに移行する。
【００５３】
すなわち、この場合には、メッセージ後信号として信号ＥＯＭを宛先へ送信し（処理１３３）、宛先より応答信号を受信すると（処理１３４）、送信画情報の線密度を標準線密度ＳＴＤに設定する所定のフェーズＢの伝送前手順を行い（処理１３５）、次いで、処理１１２へ移行し、それ以降の処理を実行する。
【００５４】
一方、１ページ目の画情報が、標準線密度ＳＴＤが所定数Ｎ以上連続するページ領域に含まれない場合で、判断１０９の結果がＮＯになるときには、最初に行うフェーズＢにおいて、送信画情報の線密度を高線密度ＤＴＬに設定する所定の伝送前手順を行う（処理１３６）。
【００５５】
次いで、処理１２６と同様にして、ＰＣページ目の画情報を宛先へ送信し（処理１３７）、１ページ分の画情報送信を終了すると、全てのページの送信が終了したかどうかを調べ（判断１３８）、判断１３８の結果がＹＥＳになるときには、処理１１９へ移行し、それ以降の処理を実行して、一連の画情報送信動作を終了する。
【００５６】
また、後続の送信ページがある場合で、判断１３８の結果がＮＯになるときには、ページカウンタＰＣの値を１つ増やし（処理１３９）、処理１０４で判定した全ページの最適線密度を参照し、ＰＣページ目の画情報が、標準線密度ＳＴＤが所定数Ｎ以上連続するページ領域に含まれるかどうかを調べる（判断１４０）。
【００５７】
そして、判断１４０の結果がＮＯになるときには、処理１３３へ移行して、それ以降の処理を実行し、また、判断１４０の結果がＹＥＳになるときには、処理１３０へ移行して、それ以降の処理を実行する。
【００５８】
図８〜図１１は、このグループ３ファクシミリ装置の送信時の処理の他の例を示している。
【００５９】
ユーザが送信原稿をスキャナ５にセットし（処理２００）、操作表示部７を適宜に操作して宛先を入力し（処理２０１）、操作表示部７のスタートキー（図示略）を操作して送信開始を指令すると（判断２０２のＹＥＳ）、システム制御部１は、スキャナ５の読取モードを高線密度ＤＴＬにセットして、スキャナ５にセットされている送信原稿を全ページについて高線密度ＤＴＬで読み取り、画像蓄積装置９に保存する（処理２０３）。
【００６０】
次いで、それぞれのページについて、上述した式（Ｉ）を適用した条件判断を行い、それぞれのページの最適線密度を判定し（処理２０４）、それぞれのページについて、所定の蓄積時の符号化方式で符号化圧縮し、それによって得た画情報を画像蓄積装置９に蓄積する（処理２０５）。なお、この段階で、それぞれのページについて処理２０３で保存した画像データは、削除することができる。
【００６１】
次に、指定された宛先へ発呼し（処理２０６）、送信ページ番号を管理するためのページカウンタＰＣの値を１に初期設定する（処理２０７）。そして、処理２０４で判定した全ページの最適線密度を参照し、１ページ目の画情報が、標準線密度ＳＴＤとして判定されているかどうかを調べる（判断２０８）。
【００６２】
判断２０８の結果がＹＥＳになるときには、最初に行うフェーズＢにおいて、送信画情報の線密度を標準線密度ＳＴＤに設定する所定の伝送前手順を行う（処理２０９）。そして、このフェーズＢにおいて決定した伝送速度、および、符号化方式に基づき、図３の表を参照して、上述した所定数Ｎを取得する（処理２１０）。
【００６３】
次いで、ＰＣページ目の蓄積画情報を読み込み、符号化復号化部８により、元の画像データへ復号化し、その元の画像データを、画像処理部１２により、所定の線密度変換処理を適用して、高線密度ＤＴＬから標準線密度ＳＴＤに線密度変換し（処理２１１）、符号化復号化部８により、処理２０９で決定した符号化方式でその標準線密度ＳＴＤの画像データを符号化し、それによって得た画情報を宛先へ送信する（処理２１２）。
【００６４】
１ページ分の画情報の送信を終了すると、全てのページの送信が終了したかどうかを調べ（判断２１３）、判断２１３の結果がＮＯになるときには、ページカウンタＰＣの値を１つ増やし（処理２１４）、処理２０４で判定した全ページの最適線密度を参照し、ＰＣページ目の画情報が、標準線密度ＳＴＤが所定数Ｎ以上連続するページ領域に含まれるかどうかを調べる（判断２１５）。
【００６５】
判断２１５の結果がＹＥＳになるときには、メッセージ後信号として信号ＭＰＳを宛先へ送信し（処理２１６）、宛先より応答信号を受信し（処理２１７）、処理２１１に戻り、次のページの送信動作を行う。
【００６６】
また、判断２１３の結果がＮＯになるときには、メッセージ後信号として信号ＥＯＰを宛先へ送信し（処理２１８）、宛先より応答信号を受信すると（処理２１９）、信号ＤＣＮを宛先へ送出して（処理２２０）、回線を復旧し（処理２２１）、一連の送信動作を終了する。
【００６７】
一方、ＰＣページ目の画情報が、標準線密度ＳＴＤが所定数Ｎ以上連続するページ領域に含まれない場合で、判断２１５の結果がＮＯになるときには、送信画情報の線密度を高線密度ＤＴＬへ変更するためにフェーズＢに移行する。
【００６８】
すなわち、この場合には、メッセージ後信号として信号ＥＯＭを宛先へ送信し（処理２２２）、宛先より応答信号を受信すると（処理２２３）、送信画情報の線密度を高線密度ＤＴＬに設定する所定のフェーズＢの伝送前手順を行う（処理２２４）。そして、このフェーズＢにおいて決定した伝送速度、および、符号化方式に基づき、図３の表を参照して、上述した所定数Ｎを取得する（処理２２５）。
【００６９】
次いで、ＰＣページ目の画情報を宛先へ送信する（処理２２６）。この画情報送信時、線密度変換は行わないが、蓄積時の符号化方式と処理２２５で決定した送信時の符号化方式が相違する場合には、蓄積画情報を読み込み、符号化復号化部８により元の画像データへ復号化し、その元の画像データを、符号化復号化部８により処理２２４で決定した符号化方式で符号化し、それによって得た画情報を宛先へ送信する。
【００７０】
この１ページ分の画情報送信を終了すると、全てのページの送信が終了したかどうかを調べ（判断２２７）、判断２２７の結果がＹＥＳになるときには、処理２１８へ移行し、それ以降の処理を実行して、一連の画情報送信動作を終了する。
【００７１】
また、後続の送信ページがある場合で、判断２２７の結果がＮＯになるときには、ページカウンタＰＣの値を１つ増やし（処理２２８）、処理２０４で判定した全ページの最適線密度を参照し、ＰＣページ目の画情報が、標準線密度ＳＴＤが所定数Ｎ以上連続するページ領域に含まれるかどうかを調べる（判断２２９）。
【００７２】
判断２２９の結果がＮＯになるときには、メッセージ後信号として信号ＭＰＳを宛先へ送信し（処理２３０）、宛先より応答信号を受信し（処理２３１）、処理２２６と同様にしてＰＣページ目の画情報を宛先へ送信し（処理２３２）、判断２２７へ戻る。
【００７３】
また、ＰＣページ目の画情報が、標準線密度ＳＴＤが所定数Ｎ以上連続するページ領域に含まれる場合で、判断２２９の結果がＹＥＳになるときには、送信画情報の線密度を標準線密度ＳＴＤへ変更するためにフェーズＢに移行する。
【００７４】
すなわち、この場合には、メッセージ後信号として信号ＥＯＭを宛先へ送信し（処理２３３）、宛先より応答信号を受信すると（処理２３４）、送信画情報の線密度を標準線密度ＳＴＤに設定する所定のフェーズＢの伝送前手順を行い（処理２３５）、このフェーズＢにおいて決定した伝送速度、および、符号化方式に基づき、図３の表を参照して、上述した所定数Ｎを取得し（処理２３６）、次いで、処理２１１へ移行し、それ以降の処理を実行する。
【００７５】
一方、１ページ目の画情報が、標準線密度ＳＴＤではなく高線密度ＤＴＬと判定されている場合で、判断２０８の結果がＮＯになるときには、最初に行うフェーズＢにおいて、送信画情報の線密度を高線密度ＤＴＬに設定する所定の伝送前手順を行い（処理２３７）、このフェーズＢにおいて決定した伝送速度、および、符号化方式に基づき、図３の表を参照して、上述した所定数Ｎを取得する（処理２３６）。
【００７６】
次いで、処理２２６と同様にして、ＰＣページ目の画情報を宛先へ送信し（処理２３９）、１ページ分の画情報送信を終了すると、全てのページの送信が終了したかどうかを調べ（判断２４０）、判断２４０の結果がＹＥＳになるときには、処理２１８へ移行し、それ以降の処理を実行して、一連の画情報送信動作を終了する。
【００７７】
また、後続の送信ページがある場合で、判断２４０の結果がＮＯになるときには、ページカウンタＰＣの値を１つ増やし（処理２４１）、処理２０４で判定した全ページの最適線密度を参照し、ＰＣページ目の画情報が、標準線密度ＳＴＤが所定数Ｎ以上連続するページ領域に含まれるかどうかを調べる（判断２４２）。
【００７８】
そして、判断２４２の結果がＮＯになるときには、処理２３３へ移行して、それ以降の処理を実行し、また、判断２４２の結果がＹＥＳになるときには、処理２３０へ移行して、それ以降の処理を実行する。
【００７９】
なお、上述した実施例では、本発明をグループ３ファクシミリ装置に適用した場合について説明したが、本発明は、グループ４ファクシミリ装置についても同様にして適用することができる。
【００８０】
また、本発明は、ファクシミリ装置以外の同様な伝送手順を適用する画像通信装置についても、同様にして適用することができる。
【００８１】
なお、所定数Ｎを決定する際に使用する画像としては、上述した（旧）ＣＣＩＴＴ  Ｎｏ．１チャート以外の原稿を採用することもできる。
【００８２】
【発明の効果】
以上説明したように、本発明によれば、所定の伝送手順に従って画像情報をやりとりするとともに、その伝送手順中における画像情報送信前の段階で送信画像単位の画像情報の属性を設定し、また、後続の画像情報の属性が異なる場合には、属性が異なる画像情報の送信に先立って当該画像情報の属性を再設定する画像通信装置において、原稿画像を第１の解像度で読み取る画像読取手段と、上記画像読取手段が読み取って得た画像情報の最適解像度を、上記第１の解像度か、または、上記第１の解像度よりも解像度の低い第２の解像度のいずれかに判定する解像度判定手段を備え、上記第２の解像度に判定された画像情報が所定数以上連続する場合には、当該複数の画像情報を上記第１の解像度から上記第２の解像度へ解像度変換し、その解像度変換した画像情報を送信するようにしたので、送信画像が高画質で、かつ、より高速な画像通信が可能な、効率の良い画像通信を実現することができるという効果を得る。
【００８３】
また、所定のグループ３ファクシミリ伝送手順に従って画像情報をやりとりするファクシミリ装置において、原稿画像を高解像度で読み取る画像読取手段と、上記画像読取手段が読み取って得た画像情報の最適解像度を、上記高解像度か、または、標準解像度のいずれかに判定する解像度判定手段を備え、上記標準解像度に判定された画像情報が所定ページ数以上連続する場合には、当該複数ページの画像情報を上記高解像度から上記標準解像度へ解像度変換し、その解像度変換した画像情報を送信するようにしたので、送信画像が高画質で、かつ、より高速な画像通信が可能な、効率の良い画像通信を実現することができるという効果を得る。
【図面の簡単な説明】
【図１】本発明の一実施例にかかるグループ３ファクシミリ装置の構成例を示したブロック図。
【図２】（旧）ＣＣＩＴＴ  Ｎｏ．１チャートを原稿として用い、この原稿を標準線密度ＳＴＤで読み取って得た画像データをＨＭ，ＭＲ，ＭＭＲ，ＪＢＩＧの各符号化方式で符号化した際の符号量（データ量）と、高線密度ＤＴＬで読み取って得た画像データをＨＭ，ＭＲ，ＭＭＲ，ＪＢＩＧの各符号化方式で符号化した際の符号量をそれぞれ計測するとともに、高線密度ＤＴＬと標準線密度ＳＴＤとの符号量の差を算出した一例を示した表。
【図３】代表的なモデム速度と、符号化方式と、所定数Ｎとの関係を示した表。
【図４】グループ３ファクシミリ装置の送信時の処理例を示したフローチャート。
【図５】グループ３ファクシミリ装置の送信時の処理例を示したフローチャート（続き）。
【図６】グループ３ファクシミリ装置の送信時の処理例を示したフローチャート（続き）。
【図７】グループ３ファクシミリ装置の送信時の処理例を示したフローチャート（続き）。
【図８】グループ３ファクシミリ装置の送信時の処理の他の例を示したフローチャート。
【図９】グループ３ファクシミリ装置の送信時の処理の他の例を示したフローチャート（続き）。
【図１０】グループ３ファクシミリ装置の送信時の処理の他の例を示したフローチャート（続き）。
【図１１】グループ３ファクシミリ装置の送信時の処理の他の例を示したフローチャート（続き）。
【符号の説明】
１  システム制御部
２  システムメモリ
１２  画像処理部
【図１】
0003879900.tif 000002
【図３】
0003879900.tif 000003
【図４】
0003879900.tif 000004
【図５】
0003879900.tif 000005
【図６】
0003879900.tif 000006
【図７】
0003879900.tif 000007
【図８】
0003879900.tif 000008
【図９】
0003879900.tif 000009
【図１０】
0003879900.tif 000010
【図１１】
0003879900.tif 000011
【図２】
0003879900.tif 000012